(57)【要約】  本発明は、全体的に、高速ＡＴＭマルチ・サービス・スイッチング・システム(ＨＡＭＳ)で用いるためのスイッチ・ルータに関連し、より詳細には、より高位のブロックから入力されたＡＴＭパケト・データを、ＩＰフォワーディング制御アセンブリ(ＩＦＣＡ)にスイッチングするための、スイッチ・リンク・アセンブリ(ＳＬＡ)であって、当該スイッチ・リンク・アセンブリ(ＳＬＡ)が更に、ＩＦＣＡから入力されたＡＴＭパケット・データを、より高位のヴロックにスイッチングするように作動可能であるスイッチ・リンク・アセンブリ(ＳＬＡ)、ＳＬＡから入力されたＡＴＭパケット・データを、イーサーネット・リンク・ボード・アセンブリ(ＥＮＬＡ)にルーティングするためのＩＦＣＡであって、当該ＩＦＣＡが更に、ＥＮＬＡから入力されたＡＴＭパケット・データを、ＳＬＡにルーティングするように作動可能であるＩＦＣＡ、ＩＦＣＡからルーティングされたＡＴＭパケット・データを、イーサーネット・データに変換し、当該イーサーネット・データを、より高位のブロックに送信するためのＥＮＬＡであって、当該ＥＮＬＡが更に、より高位のブロックから入力されたイーサーネット・データを、ローカルＡＴＭパケット・データに変換し、当該ローカルＡＴＭパケット・データを、ＩＦＣＡに出力するように作動可能であるＥＮＬＡ、を備える、ＩＰパケット・データを送信するためのスイッチ・ルータに関連する。
2007520944.tif 000002
【特許請求の範囲】
【請求項１】
より高位のブロックから入力されたＡＴＭパケット・データを、ＩＰフォワーディング・コントロール・アセンブリ(ＩＦＣＡ)にスイッチングするためのスイッチ・リンク・ボード・アセンブリ(ＳＬＡ：Switch Link board Assembly)であって、更に、ＩＦＣＡから入力されたＡＴＭパケット・データを、より高位なブロックにスイッチするように作動可能なＳＬＡ、
ＳＬＡから入力されたＡＴＭパケット・データを、イーサーネット・リンク・ボード・アセンブリ(ＥＮＬＡ)にルーティングするためのＩＦＣＡであって、更に、ＥＮＬＡから入力されたＡＴＭパケット・データを、ＳＬＡにルーティングするように作動可能なＩＦＣＡ、及び、
ＩＦＣＡからルーティングされたＡＴＭパケット・データを、イーサーネット・データに変換し、当該イーサーネット・データを、より高位のブロックに送出するためのＥＮＬＡであって、更に、より高位のブロックから入力されたイーサーネット・データを、ローカルＡＴＭパケット・データに変換し、当該ローカルＡＴＭパケット・データを、ＩＦＣＡに出力するように作動可能なＥＮＬＡ、
を備える、
ＩＰパケット・データを送出するためのスイッチ・ルータ。
【請求項２】
ＳＬＡ、ＩＦＣＡ、及びＥＮＬＡが、ＡＴＭ通信で用いられるための光ファイバ・ケーブルによって接続される、請求項１に記載のスイッチ・ルータ。
【発明の詳細な説明】
【技術分野】
【０００１】
本発明は、全体的に、高速ＡＴＭマルチ・サービス・スイッチング・システム(ＨＡＭＳ：High-speed ATM Multi-service Switching system)で用いるためのルータに関連し、より詳細には、スイッチ・ルータの構成要素(constituents)がＡＴＭを介して接続され、ＩＰパケット・データの送出が可能とされるような、ＨＡＭＳで用いるためのスイッチ・ルータに関連する。
【背景技術】
【０００２】
図１は、ＨＡＭＳで用いるための、従来的なスイッチ・ルータの構成を示す機能ブロック図である。図１を参照して、従来的なスイッチ・ルータは、イーサネット・リンク・ボード・アセンブリ(ＥＮＬＡ：EtherNet Link Board Assembly)１、及び、ＩＰフォワーディング・コントロール・アセンブリ(ＩＦＣＡ：IP Forwarding Control Assembly)２を備える．しかし、従来的スイッチ・ルータの技術的レベルは、単に、ＥＮＬＡ１及びＩＦＣＡ２の機能をテストする段階に維持されていた。更に、ＥＮＬＡ１及びＩＦＣＡ２は、完全に機能することができず、そのような場合には、ＥＮＬＡ１及びＩＦＣＡ２内の装置だけが検査(verified)され得た。
【０００３】
これが、ＥＮＬＡ１とＩＦＣＡ２の間のパスの検査を制限していた。従って、実質的なイーサネット・サービス機能のテストは、制限されていた。（「イーサネット」は登録商標である。本件明細書、要約書及び特許請求の範囲中の当該用語についても同様である。）
【０００４】
図２は、ＨＡＭＳで用いるための、従来的なスイッチ・ルータの詳細構成を示す機能ブロック図である。図２を参照して、従来的なスイッチ・ルータは、イーサネット・データをスイッチングするためのＥＮＬＡ１、及び、ルーティングのためのＩＦＣＡ２を備える。ＥＮＬＡ１は、スイッチング・ハブ１１、及び、セグメンテーション・アンド・リ・アセンブリ・デバイス(ＳＡＲ)１２を備える一方、ＩＦＣＡ２は、ＳＡＲ２１及びＣＰＵ２２を備える。このスイッチ・ルータにおいて、構成要素(constituents)をカップルするために、ＬＡＮケーブルが利用される。
【０００５】
図２に示されるように、イーサーネット・データは、ノードを介してＥＮＬＡ１内のスイッチング・ハブ１１に入力される。それは次に、ＳＡＲ１２を介してＩＦＣＡ２内のＳＡＲ２１に送出される。イーサーネット・データは次に、ＩＦＣＡ２内のＣＰＵ２２によってルーティング(routed by)され、ＳＡＲ２１によってＥＮＬＡ１内のＳＡＲ１２に戻し送出(transmitted back to)される。
【０００６】
次に、イーサーネット・データは、ＥＮＬＡ１内のＳＡＲ１２及びスイッチング・ハブ１１を介して、他のＥＮＬＡ１内の他のスイッチング・ハブ１１に送出される。イーサーネット・データは、次に、他のＩＦＣＡ２内の他のＳＡＲ２１を介して他のＣＰＵ２２に送出される。その間、ＥＮＬＡ１内の通信に関して、ＥＮＬＡ１は、イーサーネット・データを、ローカル・アシンクロナス・トランスファー・モード(ＡＴＭ)パケット・データに変換する能力を持つ。
【０００７】
イーサーネット・データは、次に、他のＩＦＣＡ２内の他のＣＰＵ２２によってルーティングされ、他のＳＡＲ２１を介して、他のＥＮＬＡ１内の他のＳＡＲ１２に戻し送出される。他のＥＮＬＡ１内の他のＳＡＲ１２は、次に、入力されたイーサーネット・データを、他のスイッチング・ハブ１１にカップルされたノードに送出する。
【０００８】
しかし、従来的なスイッチ・ルータにおいては、通信は、イーサーネット・データのみの送出及び受信によって確立される。それ故、通信速度は、低くなければならず、ＡＴＭとの通信は不可能であった。
【発明の開示】
【発明が解決しようとする課題】
【０００９】
それ故、本発明の目的は、上述の問題を解決することである。特に、本発明の目的は、ＨＡＭＳで用いるためのスイッチ・ルータであって、ＡＴＭパスを通じて構成要素をカップルし、ＩＰパケット・データの送出を可能とするスイッチ・ルータを提供することである。これは、従来的なスイッチ・ルータと比較して、より速い通信サービスを提供する。
【課題を解決するための手段】
【００１０】
上述の目的を実現するために、本発明は、
ＳＬＡから入力されたＡＴＭパケット・データを、イーサーネット・リンク・ボード・アセンブリ(ＥＮＬＡ)にルーティングするためのＩＦＣＡであって、更に、ＥＮＬＡから入力されたＡＴＭパケット・データを、ＳＬＡにルーティングするように作動可能なＩＦＣＡ、及び、
ＩＦＣＡからルーティングされたＡＴＭパケット・データを、イーサーネット・データに変換し、当該イーサーネット・データを、より高位のブロックに送出するためのＥＮＬＡであって、更に、より高位のブロックから入力されたイーサーネット・データを、ローカルＡＴＭパケット・データに変換し、当該ローカルＡＴＭパケット・データを、ＩＦＣＡに出力するように作動可能なＥＮＬＡ、
を備える、ＩＰパケット・データを送出するためのスイッチ・ルータを提供する。
【００１１】
更に、本発明は、ＩＰパケット・データを送出するためのスイッチ・ルータであって、ＳＬＡ、ＩＦＣＡ、及びＥＮＬＡが、ＡＴＭ通信で用いられるための光ファイバ・ケーブルによって接続されるスイッチ・ルータを提供する。
【発明を実施するための最良の形態】
【００１２】
以後、本発明の１つの実施例によるスイッチ・ルータが、添付図面を参照して詳細に説明される。
【００１３】
図３は、本発明の１つの実施例による、ＨＡＭＳで使用するためのスイッチ・ルータであって、ＩＰデータの送出を可能とするスイッチ・ルータの詳細構成を示す機能ブロック図である。このスイッチ・ルータは、スイッチ・リンク・ボード・アセンブリ(ＳＬＡ: Switch Link boar Assembly)１００、ＩＰフォーワーディング・コントロール・アセンブリ(ＩＦＣＡ)２００、及び、イーサーネット・リンク・ボード・アセンブリ(ＥＮＬＡ)３００を備える。
【００１４】
ＳＬＡ１００は、より高位のブロック１から入力されたＡＴＭパケット・データを、ＩＦＣＡ２００にスイッチする。ＳＬＡ１００もまた、ＩＦＣＡ２００から入力されたＡＴＭパケット・データを、より高位のブロック１にスイッチする。
【００１５】
ＩＦＣＡ２００は、ＳＬＡ１００から入力されたＡＴＭパケット・データを、ＥＮＬＡ３００にルーティングする。ＩＦＣＡ２００もまた、ＥＮＬＡ３００から入力されたＡＴＭパケット・データを、ＳＬＡ１００にルーティングする。
【００１６】
ＥＮＬＡ３００は、ＩＦＣＡ２００からルーティングされたＡＴＭパケット・データを、イーサーネット・データに変換し、当該イーサーネット・データを、より高位のブロック１に送出する。ＥＮＬＡ３００は、より高位のブロック１から入力されたイーサーネット・データをも、ローカルＡＴＭパケット・データに変換し、当該ローカルＡＴＭパケット・データを、ＩＦＣＡ２００に送出する。更に、ＥＮＬＡ３００は、夫々のより高位のブロックからテーブルとして転送されるソースＭＡＣアドレスを管理し、パケット・データを、ＩＦＣＡ２００から送られたパケットの目的地ＭＡＣアドレスに送出する。
【００１７】
上述の構成要素を持つ、ＨＡＭＳで用いるためのスイッチ・ルータの作動が、図３を参照して、これから説明される。
【００１８】
いくつかのより高位のブロック(ノード)１と、他のスイッチ・ルータのネットワークを有する、他の、より高位のブロック(ノード)１の間の通信について、これから説明される。
【００１９】
第１に、イーサーネット・データが、より高位のブロック(ノード)１からＥＮＬＡ３００に入力されたときに、ＥＮＬＡ３００は、より高位のブロック(ノード)１から入力されたイーサーネット・データを、ローカルＡＴＭパケット・データに変換し、当該ローカルＡＴＭパケット・データを、ＩＦＣＡ２００に送出する。ＥＮＬＡ３００は、より高位のブロック(ノード)１に接続され得るスイッチング・ハブ、ボコーダー（vocoder）／デ・ボコーダー（devocoder）として機能する(serves as)ＳＡＲ、ＭＡＣスイッチングを実行するＣＰＵを備える。それ故、より高位のブロック(ノード)１から入力されたイーサーネット・データは、スイッチング・ハブによって受信され、ＳＡＲによってＡＴＭパケット・データに変換され、次に、ＣＰＵによってＩＦＣＡ２００にＭＡＣスイッチされる。
【００２０】
次に、ＩＦＣＡ２００が、ＥＮＬＡ３００から入力されたＡＴＭパケット・データのヘッド情報(head information)を判断し、ＡＴＭパケット・データをＳＬＡ１００に送出する。ＳＬＡ１００は、ハブを通じて、いくつかのＳＬＡｓに接続され得、ＩＦＣＡ２００は、ＳＬＡ１００から出力されるＡＴＭパケット・データの目的地を決定する。ＳＬＡ１００は、次に、ＡＴＭパケット・データを、他のＳＬＡ１００に送出する。より高位のブロック(ノード)１(これがＡＴＭパケット・データを処理する)と通信しているときに、ＳＬＡ１０は、他のＳＬＡ１００を通じて接続される。
【００２１】
他のＳＬＡ１００は、次に、入力されたＡＴＭパケット・データを、他のＩＦＣＡ２００に送出する。次に、他のＩＦＣＡ２００が、入力されたＡＴＭパケット・データのヘッド情報を決定し、ＡＴＭパケット・データを、他のＥＮＬＡ３００にルーティングする。それ故に、他のＥＮＬＡ３００は、入力されたＡＴＭパケット・データを、イーサーネット・データに変換し、イーサーネット・データを、他の、より高位なブロック(ノード)１にＭＡＣスイッチする。
【００２２】
ＩＰパケット・データの送出を可能とする本発明のスイッチ・ルータは、接続のためにＬＡＮケーブルが用いられるような従来的なスイッチ・ルータに比べて、より高速な通信サービスを提供する。また、本発明は、イーサーネット・データ及びＡＴＭパケット・データのための制御を独立に実行することによって、付加的な機能の追加を促進する。
【００２３】
本発明は、好ましい実施例及び図面を参照して説明されたが、この説明は、本発明を、ここに開示された形式に限定することを意図しない。当業者が、本発明に等価な、種々の修正物及び他の実施例を用いることが可能であることもまた理解されるべきである。それ故、添付された請求項だけが、本発明を限定することが意図される。
【産業上の利用可能性】
【００２４】
本発明のスイッチ・ルータは、ＩＰパケット・データの送出を可能とし、接続のためにＬＡＮケーブルが使用されるような従来的なスイッチ・ルータに比べて、より高速な通信サービスを提供する。また、本発明は、イーサーネット・データ及びＡＴＭパケット・データのための制御を独立に実行することによって、付加的な機能の追加を促進する。
【図面の簡単な説明】
【００２５】
【図１】ＨＡＭＳで使用されるための従来的スイッチ・ルータの構成を示す機能ブロック図である。
【図２】ＨＡＭＳで使用されるための従来的スイッチ・ルータの詳細構成を示す機能ブロック図である。
【図３】本発明の１つの実施例による、ＨＡＭＳで使用するためのスイッチ・ルータであって、ＩＰデータの送出を可能とするスイッチ・ルータの詳細構成を示す機能ブロック図である。
【符号の説明】
【００２６】
１  イーサネット・リンク・ボード・アセンブリ(ＥＮＬＡ：EtherNet Link Board Assembly)
２  ＩＰフォワーディング・コントロール・アセンブリ(ＩＦＣＡ：IP Forwarding Control Assembly)
１１  スイッチング・ハブ
１２  セグメンテーション・アンド・リ・アセンブリ・デバイス(ＳＡＲ)
２１  ＳＡＲ
２２  ＣＰＵ
１００  スイッチ・リンク・ボード・アセンブリ(ＳＬＡ: Switch Link boar Assembly)
３００  イーサーネット・リンク・ボード・アセンブリ(ＥＮＬＡ)
２００  ＩＰフォーワーディング・コントロール・アセンブリ(ＩＦＣＡ)
【図１】
2007520944.tif 000003
【図２】
2007520944.tif 000004
【図３】
2007520944.tif 000005
【国際調査報告】
2007520944.tif 000006
2007520944.tif 000007